Podtech/llm-jp-corpus-v4-ja_patent huggingface dataset:
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
除去されるタンパク質結合物質を含む生物学的流体を透析するのに好適な装置又はシステム内における生物学的流体から不要物質を除去する方法であって、
ａ）半透膜を通して、除去されるタンパク質結合物質のための吸着体（ａｄｓｏｒｂｅｒ）を含む透析流体に対して生物学的流体を透析することと；
ｂ）前記除去されるタンパク質が結合された物質のための前記吸着体の結合親和性が減少され、前記除去される物質が溶液を通るように、前記透析流体を調節することと；
ｃ）前記除去されるタンパク質結合物質を含む生物学的流体を透析するのに好適な装置又はシステムにおける１つ以上の流体の容積又は流れを釣り合わせることと、
を含むことを特徴とする方法。
【請求項２】
前記除去されるタンパク質が結合された物質のための前記吸着体の結合親和性が減少され、前記除去される物質が溶液を通るように、前記透析流体を調節することが、酸を添加する工程、塩基を添加する工程、透析可能物質を添加する工程、希釈工程、又は加熱工程を含む請求項１に記載の方法。
【請求項３】
前記生物学的流体が血液である請求項１に記載の方法。
【請求項４】
前記吸着体がアルブミンである請求項１に記載の方法。
【請求項５】
前記除去されるタンパク質結合物質を含む生物学的流体を透析するのに好適な装置又はシステムにおける１つ以上の流体の容積又は流れを釣り合わせることが、透析装置又はシステム内の１つ以上の流体の重量を測定する工程を含む請求項１に記載の方法。
【請求項６】
前記除去されるタンパク質結合物質を含む生物学的流体を透析するのに好適な装置又はシステムにおける１つ以上の流体の容積又は流れを釣り合わせることが、前記透析装置又はシステム内の全ての流体の全重量を測定することを含む請求項５に記載の方法。
【請求項７】
前記除去されるタンパク質結合物質を含む生物学的流体を透析するのに好適な装置又はシステムにおける１つ以上の流体の容積又は流れを釣り合わせることが、前記装置又はシステム内において、前記透析装置又はシステムが作動を始める前の初期作動容積の約１％以内に、流体の実質的に一定の容積を維持するのに有効である請求項１に記載の方法。
【請求項８】
前記除去されるタンパク質結合物質を含む生物学的流体を透析するのに好適な装置又はシステムにおける１つ以上の流体の容積又は流れを釣り合わせることが、２４時間の透析期間においてばらつきが０．５リットル未満である、前記装置又はシステム内で流体の実質的に一定の容積を維持するのに有効である請求項１に記載の方法。
【請求項９】
除去されるタンパク質結合物質を含む生物学的流体を透析するのに好適な装置又はシステムであって、
ａ）生物学的流体回路（３）と；
ｂ）透析流体回路（２）と；
ｃ）前記除去されるタンパク質結合物質を可溶化するための手段（４；６；７；８；及び９）と；
ｄ）透析、濾過、又は透析濾過デバイス（５）と；
ｅ）除去されるタンパク質結合物質を含む生物学的流体を透析するのに好適な装置又はシステムにおける１つ以上の流体の容積又は流れを釣り合わせるのに好適な釣合システム又は装置と、
を含むことを特徴とする装置又はシステム。
【請求項１０】
前記除去されるタンパク質結合物質を可溶化するための手段（４；６；７；８；及び９）が、透析流体のｐＨを調節するためのデバイス（４）を含む請求項９に記載の除去されるタンパク質結合物質を含む生物学的流体を透析するのに好適な装置又はシステム。
【請求項１１】
前記除去されるタンパク質結合物質を可溶化するための手段（４；６；７；８；及び９）が、前記透析流体のｐＨをｐＨ＝１〜５．５に調節するための第１のデバイス（４）と前記透析流体のｐＨをｐＨ＝８〜１３に調節するための第２のデバイス（４）とを含む請求項１０に記載の除去されるタンパク質結合物質を含む生物学的流体を透析するのに好適な装置又はシステム。
【請求項１２】
前記除去されるタンパク質結合物質を可溶化するための手段（４；６；７；８；及び９）が、流体の温度を調節するためのデバイス（６）を含む請求項９に記載の除去されるタンパク質結合物質を含む生物学的流体を透析するのに好適な装置又はシステム。
【請求項１３】
透析、濾過、又は透析濾過のための少なくとも１つのデバイス（５）が前記第１のデバイス（４）の下流及び前記第２のデバイス（４）の上流に設けられるように、ｐＨを調節するための両方のデバイス（４）が、透析回路に配列される請求項１１に記載の除去されるタンパク質結合物質を含む生物学的流体を透析するのに好適な装置又はシステム。
【請求項１４】
少なくとも１つの前記除去されるタンパク質結合物質を可溶化するための手段（４；６；７；８；及び９）が、前記生物学的流体回路（３）に設けられる請求項９に記載の除去されるタンパク質結合物質を含む生物学的流体を透析するのに好適な装置又はシステム。
【請求項１５】
前記１つ以上の流体の容積又は流れを釣り合わせるのに好適な釣合システム又は装置が、透析装置又はシステム内の１つ以上の流体の重量を測定する請求項９に記載の装置。
【請求項１６】
前記１つ以上の流体の容積又は流れを釣り合わせるのに好適な釣合システム又は装置が、透析装置又はシステム内の全ての流体の全重量を測定する請求項９に記載の装置。
【請求項１７】
前記１つ以上の流体の容積又は流れを釣り合わせるのに好適な釣合システム又は装置が、透析装置又はシステムが作動を始める前に、前記装置又はシステム内においての初期作動容積の約１％以内に、流体の実質的に一定の容積を維持するのに有効である請求項９に記載の装置。
【請求項１８】
前記１つ以上の流体の容積又は流れを釣り合わせるのに好適な釣合システム又は装置が、２４時間の透析期間においてばらつきが０．１リットル未満である前記装置又はシステム内で流体の実質的に一定の容積を維持するのに有効である請求項９に記載の装置。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
被検体の治療を評価するための治療評価装置であって、使用中、現在の治療が追跡ユニットによって追跡され、前記治療評価装置は、
-現在の治療計画を提供する治療計画提供ユニットと、
-以前の治療計画との、以前の治療の以前の適合度を示す以前の適合値を提供する適合値提供ユニットと、
-前記現在の治療、前記現在の治療計画、及び前記提供される以前の適合値の前記追跡に基づいて、前記以前の適合度に関連して前記現在の治療計画との、前記現在の治療の現在の適合度を示す視覚化を生成する視覚化ユニットと
を有する、治療評価装置。
【請求項２】
前記治療は、介入装置を使用することによって実行され、前記現在の治療の前記追跡は、前記現在の治療の間に前記介入装置の前記位置を決定することを含み、
-前記治療計画提供ユニットは、前記介入装置の計画位置を含むように前記現在の治療計画を提供し、
-前記適合値提供ユニットは、前記以前の治療計画に含まれる計画位置との、前記以前の治療の間に決定される介入装置の位置の以前の適合度を示すように前記以前の適合度を提供し、
-前記視覚化ユニットは、前記提供された以前の適合値、前記現在の治療計画に含まれる前記計画位置、及び前記現在の治療の間に決定される前記位置に基づいて、前記以前の適合度に関連して前記現在の治療計画に含まれる前記計画位置との、前記現在の治療の間に決定される前記位置の前記現在の適合度を示すように、前記視覚化を生成する、
請求項１に記載の治療評価装置。
【請求項３】
前記視覚化ユニットは、前記提供される前記以前の適合値に基づいて統計値を提供し、前記視覚化を生成するために前記統計値を使用する、請求項１に記載の治療評価装置。
【請求項４】
前記視覚化ユニットは、b）前記現在の治療が前記統計値として前記現在の治療計画に適合するよりも、a）以前の治療が前記各々の以前の治療計画に良く適合するか、又は悪く適合するかのパーセンテージを提供する、請求項３に記載の治療評価装置。
【請求項５】
前記視覚化ユニットは、前記統計値に基づいて許容可能な適合度の範囲を決定し、前記許容可能な適合度の前記決定される範囲も視覚化する、請求項３に記載の治療評価装置。
【請求項６】
前記視覚化ユニットは、前記統計値として前記提供される以前の適合値に基づいて標準偏差を提供する、請求項５に記載の治療評価装置。
【請求項７】
前記適合値提供ユニットは、少なくとも前記適合値を含むデータベースを有し、前記適合値提供ユニットは、前記データベースから前記適合値を提供し、前記現在の治療計画及び前記現在の治療の前記追跡に基づいて現在の適合値を決定し、前記現在の適合値に基づいて前記データベースを更新する、請求項１に記載の治療評価装置。
【請求項８】
前記データベースは、前記現在の治療を実行するためにも使用される同じ治療システムによって実行される以前の治療の、前記以前の治療計画との以前の適合度を示す適合値を含む、請求項７に記載の治療評価装置。
【請求項９】
前記データベースは、前記以前の治療を実行するために使用される異なる病院及び/又は異なる治療システム及び/又は前記以前の治療を実行する異なる医師のための前記適合値を含む、請求項７に記載の治療評価装置。
【請求項１０】
前記治療評価装置は、前記データベースを用いることによって前記現在の治療の前記結果を示す結果値を決定する結果値決定ユニットを含む、請求項７に記載の治療評価装置。
【請求項１１】
被検体を治療するための治療システムであって、前記治療システムは、
-前記被検体の治療を実行する治療装置と、
-前記治療を追跡する追跡ユニットと、
-前記治療を評価する、請求項１に記載の治療評価装置と
を有する、治療システム。
【請求項１２】
被検体の治療を評価するための治療評価方法であって、現在の治療が追跡ユニットによって追跡され、前記治療評価方法は、
-治療計画提供ユニットによって現在の治療計画を提供するステップと、
-適合値提供ユニットによって以前の治療計画との、以前の治療の以前の適合度を示す以前の適合値を提供するステップと、
-視覚化ユニットによる、前記提供される以前の適合値、前記現在の治療計画、及び前記現在の治療の前記追跡に基づいて、前記以前の適合度に関連して前記現在の治療計画との、前記現在の治療の現在の適合度を視覚化する視覚化を生成するステップと、
を有する、治療評価方法。
【誤訳訂正書】
【提出日】平成31年1月9日(2019.1.9)
【誤訳訂正１】
【訂正対象書類名】明細書
【訂正対象項目名】００２６
【訂正方法】変更
【訂正の内容】
【００２６】
は全てのｉ∈Ｎに関して既知であると仮定される。式（２）は、ここでは硬制約とみなされる。
出力ｙは、
2016504119.tif 000001
（式中、
2016504119.tif 000002
はそれぞれ出力標的範囲の時間依存的下限および上限を示す）を満たすことが望ましい。限界
2016504119.tif 000003
は全てのｉ∈Ｎに関して既知であると仮定される。出力目標（３）はここでは硬制約（ｈａｒｄ  ｃｏｎｓｔｒａｉｎｔ）としては用いられず、その代わりに、それは適当なコストペナリゼーション（ｃｏｓｔ  ｐｅｎａｌｉｚａｔｉｏｎ）により軟制約（ｓｏｆｔ  ｃｏｎｓｔｒａｉｎｔ）として扱われる。
【誤訳訂正２】
【訂正対象書類名】特許請求の範囲
【訂正対象項目名】全文
【訂正方法】変更
【訂正の内容】
【特許請求の範囲】
【請求項１】
昼間および夜間の両方の全体にわたって安全なインスリン運搬を行う、１型糖尿病（Ｔ１ＤＭ）患者へのインスリン自動運搬のための人工膵臓用コントローラーであって、
周期的（ｐｅｒｉｏｄｉｃ）ゾーンモデル予測制御を用いることにより、ヒトのインスリン応答のモデルに基づくリアルタイム最適化を利用して、安全範囲に血液グルコースレベルを調節し、時間依存的範囲が、時刻に基づいてコントローラー補正を滑らかに調節し、ここで、制御入力uが、
【数１】
2016504119.tif 000004
（式中、
【数２】
2016504119.tif 000005
は時間依存的下限および上限を示す）を満たすために要求され、望ましい出力ｙは
【数３】
2016504119.tif 000006
（式中、
【数４】
2016504119.tif 000007
はそれぞれ出力標的範囲の時間依存的下限および上限を示す）を満たし、ここで、出力目標は、コストペナリゼーション（cost penalization）により、軟制約として扱われ、
昼間には８０〜１４０ｍｇ／ｄＬのグルコース範囲、夜間には１１０〜２２０ｍｇ／ｄＬの範囲、そしてそれらの間の２時間の滑らかな移行期を維持することを戦略的に追及する、コントローラー。
【請求項２】
請求項１に記載のコントローラーであって、
コントローラーにより強いられるインスリン投入の制約は昼間より夜間に低く、
夜間には血液グルコースレベルの上昇が許容され、患者が眠っている間に人工膵臓装置により運搬されうるインスリンの最大量が低減され、したがって睡眠時間中のコントローラー誘発性低血糖のリスクが低減される、コントローラー。
【請求項３】
請求項１または２記載のコントローラーとインスリンポンプとを含む人工膵臓系または副系であって、
該コントローラーが該ポンプによるインスリンの運搬を指令する、人工膵臓系または副系。
【請求項４】
請求項１または２記載のコントローラーを指令する制御アルゴリズムを含む、１型糖尿病用途のための人工膵臓（ＡＰ）の周期的ゾーンモデル予測制御（ＰＺＭＰＣ）スキーム。
【請求項５】
患者における１型糖尿病の治療方法において使用するためのインスリンを含む医薬組成物であって、該方法が、
請求項１または２記載のコントローラーを使用して、１型糖尿病（Ｔ１ＤＭ）患者へのインスリン運搬を指令することを含み、
ゾーンモデル予測制御を用いて、昼間および夜間の両方の全体にわたって安全なインスリン運搬を行うことにより、ヒトのインスリン応答のモデルに基づくリアルタイム最適化を利用して、安全範囲に血液グルコースレベルを調節し、時間依存的範囲が、時刻に基づいてコントローラー補正を滑らかに調節し、
該コントローラーが、昼間には８０〜１４０ｍｇ／ｄＬのグルコース範囲、夜間には１１０〜２２０ｍｇ／ｄＬの範囲、そしてそれらの間の２時間の滑らかな移行期を維持することを戦略的に追及することを特徴とする、前記医薬組成物。
【請求項６】
患者における１型糖尿病の治療方法において使用するためのインスリンを含む医薬組成物であって、該方法が、
請求項１または２記載のコントローラーを使用して、１型糖尿病（Ｔ１ＤＭ）患者へのインスリン運搬を指令することを含み、
時刻に応じて制御目標を連続的に調節する制御アルゴリズムを使用して、該患者の血液グルコース濃度を正常血糖範囲（８０〜１４０ｍｇ／ｄＬ）内に維持し、
夜間の目標血液グルコース範囲値が昼間より高く、昼間と夜間との間に滑らかな移行期が存在し、該コントローラーにより行われるインスリン投入の制約は昼間より夜間に低く、夜間には血液グルコースレベルの上昇が許容され、患者が眠っている間に人工膵臓装置により運搬されうるインスリンの最大量が低減され、したがって睡眠時間中のコントローラー誘発性低血糖のリスクが低減されることを特徴とする、前記医薬組成物。
【請求項７】
前記方法が患者にインスリンを運搬する工程を更に含む、請求項５または６記載の使用のための医薬組成物。
【請求項８】
滑らかな移行期が２時間の維持である、請求項１に記載のコントローラー又は請求項５に記載の使用のための医薬組成物。
【誤訳訂正書】
【提出日】平成30年11月29日(2018.11.29)
【誤訳訂正１】
【訂正対象書類名】特許請求の範囲
【訂正対象項目名】全文
【訂正方法】変更
【訂正の内容】
【特許請求の範囲】
【請求項１】
ポリエステル成分と非ポリエステル成分とを含み、前記非ポリエステル成分が羊毛であるポリエステル混紡から構成される物品からポリエステル成分及び、非ポリエステル成分の生成物を回収するプロセスであって、濃度範囲３〜５％（ｗ／ｖ）かつｐＨ範囲７〜１４の一種類以上のアルカリである一つ以上の加水分解剤を使用して、温度範囲９０〜１６０℃、処理時間範囲１０〜９０分、圧力範囲５〜２５ｐｓｉで前記物品を加水分解し、その後、洗浄を行って前記アルカリ及び前記非ポリエステル成分の生成物を除去し、乾燥を行って前記ポリエステル成分を回収することを特徴とするプロセス。
【請求項２】
請求項１で請求されるプロセスであって、ここに、前記の物品の前記の加水分解手順には前記の物品のシュレッド前処理を含む。
【請求項３】
請求項１で請求されるプロセスであって、ここに、前記の物品の前記の加水分解手順がオートクレーブを使用するものである。
【請求項４】
請求項１で請求されるプロセスであって、ここに、前記アルカリが、水酸化ナトリウム、炭酸ナトリウム、水酸化カルシウム、炭酸カルシウムから選択される一種類以上である。
【請求項５】
請求項１で請求されるプロセスであって、ここに、リパーゼとプロテアーゼから構成される群から選択される一種類以上の酵素による加水分解手順を経た後、物品を醸成してポリエステル成分と非ポリエステル成分をさらに分離して回収する。
【請求項６】
請求項５で請求されるプロセスであって、ここに、前記の醸成手順は、強度範囲８０〜１２０ｍＭ、ｐＨ範囲６．０〜８．０の緩衝剤を投入して、処理時間範囲１５〜４８時間、温度範囲４０〜６０℃で行い、前記の緩衝剤はリン酸ナトリウムである。
【請求項７】
請求項５で請求されるプロセスであって、ここに、醸成手順は回転速度１５０〜２５０ｒｐｍの範囲による攪拌である。
【請求項８】
請求項５で請求されるプロセスであって、ここに、前記の酵素はリパーゼとプロテアーゼの混合物であって、その濃度範囲は１〜１０ｇ／Ｌである。
【誤訳訂正書】
【提出日】平成31年2月4日(2019.2.4)
【誤訳訂正１】
【訂正対象書類名】特許請求の範囲
【訂正対象項目名】全文
【訂正方法】変更
【訂正の内容】
【特許請求の範囲】
【請求項１】
動物において光力学的療法（ＰＤＴ）によって座瘡を処置するのに使用するための、光増感剤を含む組成物であって、
ａ）該動物の皮膚をマイクロニードリング前処理に供すること；
ｂ）約３０分間の期間にわたって、該光増感剤を含む組成物を該動物に投与すること；及び
ｃ）０．５時間〜３時間の期間にわたって、自然光によって前記光増感剤を光活性化すること
を含むＰＤＴで使用されることを特徴とする、組成物。
【請求項２】
前記ＰＤＴが、太陽光によって達成される光活性化を含む、請求項１に記載の組成物。
【請求項３】
前記ＰＤＴが、
ａ）前記動物の皮膚をマイクロニードリング前処理に供すること；
ｂ）約３０分間の期間にわたって、前記光増感剤を含む組成物を該動物に投与すること；
ｃ）２．５時間後に、少なくとも２時間の期間にわたって、自然光によって該光増感剤を光活性化すること；及び
ｄ）必要に応じて、該光増感剤を除去すること
を含む、請求項１又は２に記載の組成物。
【請求項４】
前記光増感剤が、
５−ＡＬＡ、
５−ＭＡＬ、及び
一般式Ｉ：
Ｒ２２Ｎ−ＣＨ２ＣＯＣＨ２−ＣＨ２ＣＯ−ＯＲ１  （Ｉ）
（式中：
Ｒ１は、置換されている又は置換されていない直鎖状、分岐状又は環状アルキル基（例えば、置換されている又は置換されていない直鎖状アルキル基）を表し；各Ｒ２は独立して、水素原子又は場合により置換されているアルキル基、例えばＲ１基を表す）によって包含される化合物；並びに
それらの薬学的に許容し得る塩
からなる群より選択される、請求項１〜３のいずれか一項に記載の組成物。
【請求項５】
前記光増感剤が、５−ＡＬＡ又は５−メチルＡＬＡエステルである、請求項１〜４のいずれか一項に記載の組成物。
【請求項６】
前記光増感剤を含む組成物の前記動物への投与を閉塞ありで行う、請求項１〜５のいずれか一項に記載の組成物。
【請求項７】
前記光増感剤を含む組成物の前記動物への投与を閉塞なしで行う、請求項１〜５のいずれか一項に記載の組成物。
【誤訳訂正２】
【訂正対象書類名】明細書
【訂正対象項目名】００５２
【訂正方法】変更
【訂正の内容】
【００５２】
光源−自然
本発明のこの態様は、自然太陽光、又は人工太陽光（すなわち、ＵＶからＩＲまでの全範囲）を提供する任意の光源のいずれかによる光活性化を含む。光源としての自然太陽光の使用は、処置される動物が、処置が通常行われる臨床環境を自由に離れることができるという利点を有する。
【誤訳訂正書】
【提出日】令和1年10月29日(2019.10.29)
【誤訳訂正１】
【訂正対象書類名】明細書
【訂正対象項目名】０００９
【訂正方法】変更
【訂正の内容】
【０００９】
「抗菌」と同義的な「殺菌剤」という用語は、ある場所において微生物を殺滅する、微生物の成長を阻害する、または微生物の成長を制御することが可能な化合物を指し、殺菌剤としては、殺細菌剤、殺真菌剤、及び殺藻剤が挙げられる。
【誤訳訂正書】
【提出日】平成31年3月19日(2019.3.19)
【誤訳訂正１】
【訂正対象書類名】特許請求の範囲
【訂正対象項目名】全文
【訂正方法】変更
【訂正の内容】
【特許請求の範囲】
【請求項１】
その内部に
・外側電極対；
・内側電極対；
・少なくとも１つの中間電極対；
が収容されている、円筒形状、角柱形状又は回転楕円体形状の外部本体によって画定されているバイポーラ電解セルであって、
前記外側電極対は、第１の絶縁部材によって端部において分離されている同等の寸法の第１の外側電極及び第２の外側電極に更に分割されており、
前記内側電極対は、第２の絶縁部材によって端部において分離されている同等の寸法の第１の内側電極及び第２の内側電極に更に分割されており、
前記少なくとも１つの中間電極対は、第３の絶縁部材によって端部において分離されている同等の寸法の第１の中間電極及び第２の中間電極に更に分割されており、
前記内側、外側、及び中間電極対は同心状に配列されており、
前記第１の外側電極の表面と前記第１の中間電極の表面、並びに前記第２の外側電極の表面と前記第２の中間電極の表面とは、第１の間隙を画定するように互いと対向しており、
前記第１の中間電極の表面と前記第１の内側電極の表面、並びに前記第２の中間電極の表面と前記第２の内側電極の表面とは、少なくとも１つの第２の間隙を画定するように互いと対向しており、
前記第１の外側電極及び前記第２の内側電極はセルの１つの極に接続されており、前記第２の外側電極及び前記第１の内側電極はセルの反対極に接続されている、
前記バイポーラ電解セル。
【請求項２】
前記外側、中間、及び内側電極対が、円筒形状若しくは角柱形状の本体の内部に収容されている円筒形状若しくは角柱形状の電極対、又は回転楕円体の本体の内部に収容されている回転楕円体形状の電極対である、請求項１に記載のセル。
【請求項３】
前記外側電極対、前記少なくとも１つの中間電極対、及び前記内側電極対が、セル本体に対して同軸である、請求項２に記載のセル。
【請求項４】
前記第１及び第２の外側電極、前記第１及び第２の中間電極、並びに前記第１及び第２の内側電極が、塊状又は担持形態の伝導性ダイヤモンド、又は白金族の１種類以上の元素を含む触媒組成物で被覆されているチタンから形成されている、請求項１〜３のいずれかに記載のセル。
【請求項５】
前記触媒組成物が、金属白金、酸化白金、酸化ルテニウム、及び酸化イリジウム、並びにチタン、タンタル、ニオブ、及びスズの中から選択される元素の少なくとも１種類の酸化物の中から選択される少なくとも１つの成分を含む、請求項４に記載のセル。
【請求項６】
前記第１の間隙及び前記第２の間隙が独立して１〜２０ｍｍの範囲の一定の幅を有する、請求項１〜５のいずれかに記載のセル。
【請求項７】
前記第１及び少なくとも１つの第２の間隙の内部にプロセス電解液を供給し、セル極に直流電流を供給し、予め設定された時間間隔で前記直流電流の方向を変化させることを含む、請求項１〜６のいずれかに記載のセル内で電気分解プロセスを実行する方法。
【請求項８】
前記電気分解プロセスが、活性塩素の生成を伴う塩溶液の電気分解、廃水の電気分解による有機物質の分解、有機種の同時分解を伴うカソード電着による金属の回収、及び有機種の同時分解を伴わないカソード電着による金属の回収からなる群から選択される、請求項７に記載の方法。
【請求項９】
前記予め設定された時間間隔が１〜１２０分間の継続時間を有する、請求項７又は８に記載の方法。
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
結合研磨物品を製造する方法であって、前記方法は、
ａ）表裏をなす水平な第１主面及び第２主面を有する工具であり、前記第１主面が精密に成形されたキャビティを画定し、水平に配向される前記精密に成形された各キャビティが、前記工具の表面に対して所定の位置にあり、前記精密に成形された各キャビティが、真空源に流体連通した導管開口部をそれぞれ備えた水平な底面を有する工具を用意する工程と、
ｂ）前記工具の表面を振動させながら第１粉砕研磨粒子を付勢し、それによって、前記第１粉砕研磨粒子の一部が前記精密に成形されたキャビティのうちの少なくとも一部の内に保持されるようにし、かつ前記第１粉砕研磨粒子の第２部分が第１の固着していない粒子として前記工具の表面に残るようにする工程と、
ｃ）実質的に全ての前記第１の固着していない粒子を前記工具から分離する工程と、
ｄ）硬化性バインダー材料前駆体を含む金型内に前記工具を置く工程と、
ｅ）前記精密に成形されたキャビティに保持されている前記第１粉砕研磨粒子を前記金型に放出する工程と、
ｆ）前記工具を前記金型から取り出す工程と、
ｇ）前記第１粉砕研磨粒子及び前記硬化性バインダー材料前駆体を圧縮し、成形素地体を形成する工程と、
ｈ）前記硬化性バインダー材料前駆体を少なくとも部分的に硬化し、前記結合研磨物品を製造する工程と、を含む方法。
【請求項２】
前記工程ｄ）において、前記金型が第１補強スクリムを更に含む、請求項１に記載の方法。
【請求項３】
前記精密に成形されたキャビティが水平に配向されており、接触させることを更に含む、請求項１に記載の方法。
【請求項４】
前記工程ｅ）の後かつ前記工程ｆ）の前に、前記方法は、
ｉ）前記工具の表面を振動させながら第２粉砕研磨粒子を付勢し、それによって、前記第２粉砕研磨粒子の一部が前記精密に成形されたキャビティのうちの少なくとも一部の内に保持されるようにし、かつ前記第２粉砕研磨粒子の一部が第２の固着していない粒子として前記工具の表面に残るようにし、実質的に全ての前記精密に成形されたキャビティが最大で１つの第２粉砕研磨粒子を含む、工程と、
ｉｉ）前記第２の固着していない粒子を前記工具から分離する工程と、
ｉｉｉ）追加量の前記硬化性バインダー材料前駆体を前記金型に添加する工程と、
ｉｖ）前記金型内に前記工具を置く工程と、
ｖ）前記精密に成形されたキャビティに保持されている前記第２粉砕研磨粒子を前記金型に放出する工程と、を更に含む、請求項１に記載の方法。
【請求項５】
前記金型が第２補強スクリムを更に含む、請求項４に記載の方法。
【請求項６】
前記工程ｂ）が前記工具を機械的に振動させることを含む、請求項１に記載の方法。
【請求項７】
前記第１粉砕研磨粒子は、前記工具の表面に配置される前に、研磨材産業界指定の公称等級に適合している、請求項１に記載の方法。
【請求項８】
前記第１粉砕研磨粒子が、ＡＮＳＩ  ４、ＡＮＳＩ  ６、ＡＮＳＩ  ８、ＡＮＳＩ  １６、ＡＮＳＩ  ２４、ＡＮＳＩ  ３６、ＡＮＳＩ  ４０、ＡＮＳＩ  ５０、ＡＮＳＩ  ６０、ＡＮＳＩ  ８０、ＡＮＳＩ  １００、ＡＮＳＩ  １２０、ＡＮＳＩ  １５０、ＡＮＳＩ  １８０、ＡＮＳＩ  ２２０、ＡＮＳＩ  ２４０、ＡＮＳＩ  ２８０、ＡＮＳＩ  ３２０、ＡＮＳＩ  ３６０、ＡＮＳＩ  ４００、及びＡＮＳＩ  ６００のＡＮＳＩ等級表記、Ｐ８、Ｐ１２、Ｐ１６、Ｐ２４、Ｐ３６、Ｐ４０、Ｐ５０、Ｐ６０、Ｐ８０、Ｐ１００、Ｐ１２０、Ｐ１５０、Ｐ１８０、Ｐ２２０、Ｐ３２０、Ｐ４００、Ｐ５００、Ｐ６００、Ｐ８００、Ｐ１０００、及びＰ１２００のＦＥＰＡ等級表記、並びにＪＩＳ８、ＪＩＳ１２、ＪＩＳ１６、ＪＩＳ２４、ＪＩＳ３６、ＪＩＳ  ４６、ＪＩＳ  ５４、ＪＩＳ  ６０、ＪＩＳ  ８０、ＪＩＳ  １００、ＪＩＳ  １５０、ＪＩＳ  １８０、ＪＩＳ  ２２０、ＪＩＳ  ２４０、ＪＩＳ  ２８０、ＪＩＳ  ３２０、ＪＩＳ  ３６０、ＪＩＳ  ４００、ＪＩＳ  ６００、ＪＩＳ  ８００、ＪＩＳ  １０００、ＪＩＳ  １５００、ＪＩＳ  ２５００、ＪＩＳ  ４０００、ＪＩＳ  ６０００、ＪＩＳ８０００、及びＪＩＳ  １００００のＪＩＳ等級表記からなる群から選択される研磨材産業界指定の公称等級に適合する、請求項７に記載の方法。
【請求項９】
前記第１粉砕研磨粒子が、少なくとも０．１ミリメートルの平均粒径Ｄ５０を有する、請求項１に記載の方法。
【請求項１０】
前記結合研磨物品がカットオフホイールを含む、請求項１に記載の方法。
【請求項１１】
バインダー材料に確実に保持された粉砕研磨粒子を含む結合研磨物品であって、前記粉砕研磨粒子が、前記結合研磨物品中の所定の位置に配置された結合研磨物品。
【請求項１２】
前記粉砕研磨粒子が規則的なパターンにしたがって配列された、請求項１１に記載の結合研磨物品。
【請求項１３】
前記粉砕研磨粒子が、非ランダムな配向性を有している、請求項１１に記載の結合研磨物品。
【請求項１４】
結合研磨ホイールを含む、請求項１１に記載の結合研磨物品。
【請求項１５】
カットオフホイールを含む、請求項１１に記載の結合研磨物品。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
バリアシートまたはフィルム（１０ａ；１０ｂ；２０ａ；２０ｂ）を含む、酸素および他のガスの影響を受けやすい製品の包装に使用する積層包装材料（３０）であって、
セルロースナノフィブリル（ＣＮＦ）を含むガスバリア層（１４；１８）を有し、
紙または板紙のバルク層（１１）または他のセルロース系材料と、第１の最も外側の液密でヒートシール可能なポリオレフィン層（１２）と、第２の最も内側の液密でヒートシール可能なポリオレフィン層（１３）とをさらに含み、紙または板紙のバルク層（１１）または他のセルロース系材料の内側の、バルク層と最も内側の層との間に、前記バリアシートまたはフィルムが配置され、
ガスバリア層は少なくとも１つの面が非晶質ダイヤモンドライクカーボン（ＤＬＣ）の気相蒸着バリアコーティング（１６；２０）で被覆され、
ガスバリア層は、ＣＮＦを含み、層の乾燥重量に対して、可塑剤化合物を２５重量％まで含み、可塑剤化合物は、ポリオール、単糖類、多糖類、セルロース誘導体、ポリエチレングリコール、およびポリビニルアルコールからなる群から選択され、
前記ＤＬＣの気相蒸着バリアコーティング（１６；２０）は、前記酸素ガスバリア層（１４；１８）と前記最も内側のヒートシール可能なポリオレフィン層（１３）との間に配置され、
気相蒸着バリアコーティングは水蒸気バリア性を有し、フィルムが、積層包装材料中で、高湿度条件においても、ガスバリア性を提供する、積層包装材料。
【請求項２】
バリアシートまたはフィルム（２０ａ；２０ｂ）が、セルロースナノフィブリル（ＣＮＦ）を含むガスバリア層（１４；１８）でコーティングされた基材層（１９）を含む、請求項１に記載の積層包装材料。
【請求項３】
バリアシートまたはフィルム（１０ａ；１０ｂ）が、セルロースナノフィブリル（ＣＮＦ）を含むガスバリア材料からの１つのガスバリア層（１４）のみからなり、ガスバリア層は、少なくとも１つの面が気相蒸着バリアコーティングで被覆されている、請求項１に記載の積層包装材料。
【請求項４】
ガスバリア層（１４；１８）が、ＣＮＦと、層の乾燥重量に基づき、２０重量％以下の可塑剤化合物とを含む、請求項１から３のいずれか一項に記載のバリアシートまたはフィルムを含む積層包装材料。
【請求項５】
可塑剤化合物が、カルボキシメチルセルロース（ＣＭＣ）、グリセロール、２０００−４０００の分子量を有するポリエチレングリコール（ＰＥＧ）および８７−７９％など高い加水分解度を有するポリビニルアルコールからなる群から選択される、請求項４に記載の積層包装材料。
【請求項６】
基材層（１９）が、ポリマーフィルムである、請求項２に記載の積層包装材料。
【請求項７】
基材層（１９）が、１２−７０ｇ／ｍ２の坪量を有する紙基材である、請求項２に記載の積層包装材料。
【請求項８】
バリアシートまたはフィルムが、前記気相蒸着バリアコーティング（１６；１７；２０；２１）で両面が被覆されている、請求項１から７のいずれか一項に記載の積層包装材料。
【請求項９】
ＤＬＣコーティングの厚み、またはＤＬＣコーティングのそれぞれの厚みが、２−４０ｎｍ、例えば２−３５ｎｍ、例えば５−３５ｎｍ、例えば１０−３０ｎｍである、請求項１から８の何れか一項に記載の積層包装材料。
【請求項１０】
バリアシートまたはフィルムが、中間接着結合層またはポリマー結合層（１５）によってバルク層（１１）に結合される、請求項１から９の何れか一項に記載の積層包装材料。
【請求項１１】
請求項１から１０の何れか一項に記載の積層包装材料を含む、包装容器。
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
ユーザインターフェースと分析モジュールとを含む磁気共鳴検査システムであって、
- 前記ユーザインターフェースは、選択されるMRI検査プロトコルにおける連続ステップの詳細を表す検査情報を前記分析モジュールに提供するように構成され、
- 前記分析モジュールは、前記検査情報を分析して、前記ユーザインターフェースに対して前記MR検査を適切に行うためのフィードバック及び随意にガイダンスを導出するように構成され、前記分析モジュールは、前記検査情報を表す前記選択される検査プロトコルから必要な動作を抽出し、検査されるべき患者を準備するためにとられるべきこれらの必要な動作を実行する必要性をユーザにフィードバックするように構成される、磁気共鳴検査システム。
【請求項２】
ユーザインターフェイスと分析モジュールとを含む磁気共鳴検査システムであって、
- 前記ユーザインターフェースは、選択されるMRI検査プロトコルにおける連続ステップの詳細を表す検査情報を前記分析モジュールに提供するように構成され、
- 前記分析モジュールは、前記検査情報を分析して、前記ユーザインターフェースに対して前記MR検査を適切に行うためのフィードバック及び随意にガイダンスを導出するように構成され、前記分析モジュールは、前記検査情報を表す前記選択される検査プロトコルから必要な動作を抽出し、これらの必要な動作に対する必要性をフィードバックするように構成され、前記分析モジュールは、何れのデバイスが接続される必要があるかを前記検査情報から導出し、何れのデバイスが接続される必要があるかをフィードバックし、随意に（i）前記デバイスの接続ステータス、及び（ii）そのようなデバイスを接続する方法についてフィードバックするように構成される、磁気共鳴検査システム。
【請求項３】
前記詳細は、前記連続ステップの実行の適切な順序を含む、請求項1に記載の磁気共鳴検査システム
【請求項４】
前記詳細は、前記MRI検査プロトコルの前記ステップを実行するために満たされる必要がある前記各ステップの技術的条件を含む、請求項1乃至３の何れか一項に記載の磁気共鳴検査システム。
【請求項５】
前記フィードバックは、一つ又は複数の局所高周波受信器コイル及び/又は補助装置を前記磁気共鳴検査システムに接続するための命令に関する、請求項1又は3に記載の磁気共鳴検査システム。
【請求項６】
検査ゾーン内に静磁場を印加するための主磁石を有し、前記ユーザインターフェースは、前記磁石から離れた制御コンソールと、前記主磁石におけるガントリディスプレイとを含む、請求項1に記載の磁気共鳴検査システム。
【請求項７】
コンピュータプログラムであって、
-ユーザインターフェースにより、MRI検査プロトコルにおける連続ステップの詳細を表す検査情報を分析モジュールに提供させ、
-前記分析モジュールにより前記検査情報を分析させ、
-前記ユーザインターフェースに対して前記MR検査を適切に行うためのフィードバック及び随意にガイダンスを導出させる
命令を含み、
-（i）前記検査情報を表す前記選択される検査プロトコルから必要な動作を抽出させ、（ii）これらの必要な動作を実行する必要性を前記ユーザにフィードバックさせ、又は
-（iii）何れのデバイスが接続される必要があるかを前記検査情報から導出させ、何れのデバイスが接続される必要があるかをフィードバックさせ、随意に（iv）前記デバイスの接続ステータス、及び（v）そのようなデバイスを接続する方法についてフィードバックさせる
命令を更に含む、コンピュータプログラム。
【請求項８】
磁気共鳴検査システムを作動する方法であって、
-ユーザインターフェースにより、MRI検査プロトコルにおける連続ステップの詳細を表す検査情報を分析モジュールに提供するステップと、
-前記分析モジュールにより、前記検査情報を分析するステップと、
-前記ユーザインターフェースに対して前記MR検査を適切に行うためのフィードバック及び随意にガイダンスを導出するステップであって、（i）前記検査情報を表す前記選択される検査プロトコルから必要な動作を抽出し、（ii）これらの必要な動作を実行する必要性をユーザにフィードバックし、又は（iii）何れのデバイスが接続される必要があるかを前記検査情報から導出し、何れのデバイスが接続される必要があるかをフィードバックし、随意に（iv）前記デバイスの接続ステータス、及び（v）そのようなデバイスを接続する方法についてフィードバックする、ステップと
を有する、方法。
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
軟組織を修復することのできる移植式医療用デバイス及びその中に含まれる治療剤の放出速度を制御するための手段であって、
少なくとも１つの生体非吸収性ポリマーと、
複数の生体吸収性ポリマー、コポリマー又はポリマー混合物と、
前記複数の生体吸収性ポリマー、コポリマー又はポリマー混合物に含有される少なくとも１つの治療剤とを含んでなり、前記複数の生体吸収性ポリマー、コポリマー又はポリマー混合物のうちの少なくとも１つは、前記複数の生体吸収性ポリマー、コポリマー又はポリマー混合物のうちの別のものとは異なる化学構造を有し、
前記少なくとも１つの生体非吸収性ポリマーから構築された複数の生体非吸収性ファイバーから構築されるメッシュ構造をさらに含んでなり、前記複数の生体吸収性ポリマー、コポリマー又はポリマー混合物から構築された複数の生体吸収性ファイバーが前記少なくとも１つの治療剤を含有し、
前記複数の生体吸収性ファイバー及び前記複数の生体非吸収性ファイバーは、製編、製織又はその他の方法で単一の構築物に混合されている、移植式医療用デバイス。
【請求項２】
前記複数の生体吸収性ファイバーはそれぞれ複数の生体吸収性フィラメントから構築されている、請求項１に記載の移植式医療用デバイス。
【請求項３】
前記複数の生体非吸収性ファイバーはそれぞれ単一の生体非吸収性フィラメントから構築され、前記複数の生体吸収性ファイバーはそれぞれ複数の生体吸収性フィラメントから構築されている、請求項１に記載の移植式医療用デバイス。
【請求項４】
前記複数の生体吸収性ファイバーのうちの少なくとも１つは、生体吸収性ポリマー、コポリマー又はポリマー混合物からなり、その生体吸収性ポリマー、コポリマー又はポリマー混合物は、前記複数の生体吸収性ファイバーのうちの別のものを含んだ前記生体吸収性ポリマー、コポリマー又はポリマー混合物のモノマー成分とは異なるモノマー成分を備える、請求項１に記載の移植式デバイス。
【請求項５】
前記複数の生体吸収性ファイバーのうちの少なくとも１つは、生体吸収性ポリマー、コポリマー又はポリマー混合物からなり、その生体吸収性ポリマー、コポリマー又はポリマー混合物は、前記複数の生体吸収性ファイバーのうちの別のものを含んだ前記生体吸収性ポリマー、コポリマー又はポリマー混合物と同じモノマー成分から構築されているが比率が異なる、請求項１に記載の移植式医療用デバイス。
【請求項６】
異なる化学構造を有する前記複数の生体吸収性ポリマー、コポリマー又はポリマー混合物は、その中に含有された前記少なくとも１つの治療剤の異なる放出速度と、異なる水分吸収速度とを有し、それにより、前記移植式医療用デバイスには、人体に移植された後３〜１０日間にわたり前記少なくとも１つの治療剤を保持及び放出する能力が与えられる、請求項１に記載の移植式医療用デバイス。
【請求項７】
異なる化学構造を有する前記複数の生体吸収性ポリマー、コポリマー又はポリマー混合物は、その中に含有された少なくとも１つの麻酔薬である前記少なくとも１つの治療剤の異なる放出速度と、異なる水分吸収速度とを有し、それにより、前記移植式医療用デバイスには、人体への移植後少なくとも２日間にわたり麻酔を維持するのに十分な持続した速度で前記少なくとも１つの麻酔薬を放出する能力が与えられる、請求項１に記載の移植式医療用デバイス。
【請求項８】
軟組織を修復することのできる製編されたメッシュ構造の形態の移植式医療用デバイスであって、
少なくとも１つの生体非吸収性ポリマーからなる複数の生体非吸収性ファイバーと、
複数の生体吸収性ポリマー、コポリマー又はポリマー混合物からなる複数の生体吸収性ファイバーと、
前記複数の生体吸収性ポリマー、コポリマー又はポリマー混合物に含有された少なくとも１つの治療剤とを含んでなり、前記複数の生体吸収性ファイバーのうちの１つは、前記複数の生体吸収性ポリマー、コポリマー又はポリマー混合物のうちの１つからなり、その複数の生体吸収性ポリマー、コポリマー又はポリマー混合物は、前記複数の生体吸収性ファイバーのうちの別のものを含んだ前記複数の生体吸収性ポリマー、コポリマー又はポリマー混合物のうちの別のものとは異なる化学構造を有し、
前記移植式医療用デバイスは、人体への移植後少なくとも２日間にわたって局所的な治療効果を維持するのに十分な持続した速度で前記少なくとも１つの治療剤を放出することが可能であり、
前記複数の生体吸収性ファイバー及び前記複数の生体非吸収性ファイバーは、製編、製織又はその他の方法で単一のメッシュ構築物に混合されている、移植式医療用デバイス。
【請求項９】
前記複数の生体吸収性ファイバーは、異なる直径を有する複数の生体吸収性フィラメントからなり、その複数の生体吸収性フィラメントは、体液が完全に浸透するのに異なる時間を必要とし、その結果、前記少なくとも1つの治療剤の放出速度が異なり、前記移植式医療用デバイスは、人体への移植後少なくとも２日間にわたり局所的な治療効果を達成及び維持する能力を有する、請求項８に記載の医療用デバイス。
【請求項１０】
異なる化学構造を有する前記複数の生体吸収性ポリマー、コポリマー又はポリマー混合物からなる前記複数の生体吸収性ファイバーは、その中に含有された前記少なくとも１つの治療剤の異なる放出速度と、異なる水分吸収速度とを有し、前記移植式医療用デバイスは、人体への移植後少なくとも２日間にわたり治療効果を維持することができる、請求項８に記載の医療用デバイス。
【請求項１１】
外科用メッシュ構造の形態の移植式医療用デバイスであって、
複数の生体非吸収性ファイバーと複数の生体吸収性ファイバーとを含んでなり、
前記複数の生体非吸収性ファイバーは、前記移植式医療用デバイスの機械的性質を提供する少なくとも１つの生体非吸収性ポリマーからなり、ただしそれは治療剤を含まず、その結果、前記移植式医療用デバイスの治療効果には寄与せず、
前記複数の生体吸収性ファイバーは、少なくとも１つの治療剤を含有しかつその放出を制御することが可能である複数の生体吸収性ポリマー、コポリマー又はポリマー混合物からなり、
前記複数の生体吸収性ファイバー及び前記複数の生体非吸収性ファイバーは、単一のメッシュ構築物に製編され、前記複数の生体吸収性ファイバーは、前記複数の生体非吸収性ファイバーによって形成される編みループよりも大きい編みループを形成する、移植式医療用デバイス。
【手続補正書】
【提出日】令和1年11月8日(2019.11.8)
【手続補正１】
【補正対象書類名】明細書
【補正対象項目名】発明の名称
【補正方法】変更
【補正の内容】
【発明の名称】動物に薬物を注入するための自動システム
【手続補正２】
【補正対象書類名】特許請求の範囲
【補正対象項目名】全文
【補正方法】変更
【補正の内容】
【特許請求の範囲】
【請求項１】
動物の所定の領域に薬物を自動的に送達するシステムであって、
所定の送達領域を有する動物を配置する配置装置と、
前記動物の相対位置の少なくとも１つの画像を取り込む画像取り込み装置と、
前記動物の所定の送達領域に所定の投与量の薬物を送達する送達システムと、
前記配置装置、前記画像取り込み装置、及び前記送達システムと通信するシステムコントローラと
を含むシステム。
【請求項２】
前記動物の存在を感知する感知装置を更に含む、請求項１に記載のシステム。
【請求項３】
前記動物は、以下の動物のカテゴリー、鳥類、魚類、無脊椎動物、又は哺乳類の１つである、請求項１に記載のシステム。
【請求項４】
魚の所定の領域に薬物を自動的に供給するシステムであって、
少なくとも１つの魚を収容する第１タンクであって、所定の送達領域を有する第１タンクと、
少なくとも１つの魚を受け入れる第２タンクと、
魚が前記第１タンクから前記第２タンクへ移動することができる保持領域と、
前記魚を個別に拘束する拘束装置と、
前記魚の所定の送達領域の相対位置の少なくとも１つの画像を取り込む画像取り込み装置と、
前記魚の前記所定の送達領域に所定の投与量の薬物を送達するための位置調節可能な送達システムと、
前記拘束装置、前記画像取り込み装置、及び前記送達システムと通信するシステムコントローラと
を含むシステム。
【請求項５】
前記保持領域内の魚の存在を感知する存在センサーを更に含む、請求項４に記載のシステム。
【請求項６】
前記送達システムは注入器である、請求項４に記載のシステム。
【請求項７】
前記注入器は針がない、請求項６に記載のシステム。
【請求項８】
前記薬物はワクチン、薬剤又は生物学的製剤である、請求項１に記載のシステム。
【請求項９】
前記薬物は、せっそう病、コイヘルペスウイルス、ＶＨＳ、白点病及び旋回病の１つ以上を治療するために使用され得る、請求項４に記載のシステム。
【請求項１０】
前記薬物は、ニューカッスル病、感染性気管支炎、コクシジウム症、マレック病又は大腸菌症の１つ以上を治療するよう意図されている、請求項１に記載のシステム。
【請求項１１】
前記送達システムは注入システムである、請求項１に記載のシステム。
【請求項１２】
前記注入システムは針がない、請求項１１に記載のシステム。
【請求項１３】
前記薬物は、せっそう病、コイヘルペスウイルス、ＶＨＳ、白点病及び旋回病の１つ以上を治療するために使用され得る、請求項１に記載のシステム。
【請求項１４】
前記拘束装置は前記保持領域内に配置される、請求項４に記載のシステム。
【請求項１５】
前記画像取り込み装置はカメラである、請求項４に記載のシステム。
【請求項１６】
前記画像取り込み装置はカメラである、請求項１に記載のシステム。
【請求項１７】
前記システムコントローラはコンピュータプロセッサを含む、請求項１に記載のシステム。
【請求項１８】
前記第１及び第２タンク並びに前記システムコントローラと連通する加圧流体源を更に含む、請求項４に記載のシステム。
【請求項１９】
前記システムコントローラは、前記加圧流体源を制御することによって前記第１及び第２タンク内の水の量を制御することができる、請求項１８に記載のシステム。
【請求項２０】
前記動物は個別に配置される、請求項１に記載のシステム。
【手続補正書】
【提出日】令和1年11月8日(2019.11.8)
【手続補正１】
【補正対象書類名】明細書
【補正対象項目名】発明の名称
【補正方法】変更
【補正の内容】
【発明の名称】動物に薬物を送達するための自動システム
【手続補正２】
【補正対象書類名】特許請求の範囲
【補正対象項目名】全文
【補正方法】変更
【補正の内容】
【特許請求の範囲】
【請求項１】
動物の所定の領域に薬物を自動的に送達するためのシステムであって、
移動プラットフォームに沿って動物を配置する配置装置と、
画像取り込み装置と、
前記移動プラットフォームの経路に沿って少なくとも１つの送達出口を有する薬物送達システムと、
前記画像取り込み装置及び前記送達システムと通信するコンピュータープロセッサであって、それによって、前記画像取り込み装置が前記動物の少なくとも１つの画像を取り込み、前記画像を前記コンピュータープロセッサと共有し、前記コンピュータープロセッサが前記画像を処理し、前記動物の相対位置を決定し、前記動物に有効量の薬物を送達するように前記送達システムを適時に作動させるコンピュータープロセッサと
を含む、システム。
【請求項２】
前記配置装置は、一連の仕切り及び少なくとも１つの移動プラットフォームである、請求項１に記載のシステム。
【請求項３】
前記配置装置は、単独の動物を収容するための容器を含む、請求項１に記載のシステム。
【請求項４】
前記動物は鳥である、請求項１に記載のシステム。
【請求項５】
前記所定の領域は顔面の１つ以上の粘膜である、請求項１に記載のシステム。
【請求項６】
前記送達装置システムは噴霧器である、請求項１に記載のシステム。
【請求項７】
前記薬物は、ワクチン、薬剤、又は生物学的製剤である、請求項１に記載のシステム。
【請求項８】
前記薬物は、ニューカッスル病、感染性気管支炎、コクシジウム症、大腸菌、サルモネラ菌、カンピロバクター又は大腸菌症の１つ以上に対するワクチン又は薬物を含む、請求項１に記載のシステム。
【請求項９】
複数の送達出口がある、請求項１に記載のシステム。
【請求項１０】
前記送達出口は前記移動プラットフォームに沿って様々な高さにある、請求項９に記載のシステム。
【請求項１１】
動物の粘膜に薬物を送達するための自動システムであって、
動物を配置するための配置装置と、
前記動物の所定の領域の少なくとも１つの画像を取り込む画像取り込み装置と、
薬物の容器と、少なくとも１つの送達スプレーヘッドとを含む送達システムと、
前記画像取り込み装置及び前記送達システムと通信するコンピュータープロセッサであって、それによって、前記画像取り込み装置が前記所定の領域の少なくとも１つの画像を取り込み、前記画像を前記コンピュータープロセッサに伝達し、前記コンピュータープロセッサが前記画像を処理し、前記動物に薬物をスプレーするために少なくとも１つの送達スプレーヘッドを作動させるコンピュータープロセッサと
を含む、自動システム。
【請求項１２】
前記薬物は、ワクチン、薬剤、又は生物学的製剤である、請求項１１に記載のシステム。
【請求項１３】
前記薬物は、ニューカッスル病、感染性気管支炎、コクシジウム症、大腸菌、サルモネラ菌、カンピロバクター又は大腸菌症の１つ以上に対するワクチン又は薬物を含む、請求項１１に記載のシステム。
【請求項１４】
前記所定の領域は顔である、請求項１１に記載のシステム。
【請求項１５】
前記画像取り込み装置はカメラを含む、請求項１１に記載のシステム。
【請求項１６】
動物の所定の領域に薬物を自動的に送達するためのシステムであって、
移動プラットフォームに沿って動物を配置する配置装置と、
前記移動プラットフォームに沿って移動する動物の存在を感知する感知装置と、
前記移動プラットフォームの経路に沿って配置された薬物送達システムと、
前記感知装置及び前記送達システムと通信するコンピュータープロセッサであって、それによって、前記感知装置が前記移動プラットフォーム上の動物の存在を前記コンピュータープロセッサに伝達し、前記コンピュータープロセッサが前記動物に有効量の前記薬物を送達するように前記薬物送達システムを作動させるコンピュータープロセッサと
を含む、システム。
【請求項１７】
前記動物にその口を開かせるか又は特定の方向を見させるための少なくとも１つの刺激手段を更に含む、請求項１６に記載のシステム。
【請求項１８】
前記薬物は、ワクチン、薬剤、又は生物学的製剤である、請求項１６に記載のシステム。
【請求項１９】
前記薬物は、ニューカッスル病、感染性気管支炎、コクシジウム症、大腸菌、サルモネラ菌、カンピロバクター又は大腸菌症の１つ以上に対するワクチン又は薬物を含む、請求項１６に記載のシステム。
【請求項２０】
前記所定の領域は顔である、請求項１６に記載のシステム。